(57)【要約】【課題】  本発明は、あらゆる方向に対してムラなく均一に光を反射することができるマーカーランプを提供することを目的とする。【解決手段】  マーカーランプ１は、ＬＥＤ（Ｌ１，Ｌ２）からの光を透過させるドーム状のランプカバー２と、ランプカバー２を着脱自在に装着するランプボディ３とから構成されており、ランプボディ３は、ＬＥＤ（Ｌ１）からの光を拡散する筒状の拡散シート４と、拡散シート４を固定する固定台座５とを設け、拡散シート４の外面を照し前記拡散シートを囲む状態で複数の前記ＬＥＤを配置しているので、ムラなく均一にマーカーランプ１を照らすことができる。【選択図】 図１
2008137434.tif 000002
【特許請求の範囲】
【請求項１】
光源となる複数のＬＥＤを覆う状態で形成され、前記ＬＥＤからの光を透過させるドーム状のランプカバーと、前記ランプカバーを着脱自在に装着するランプボディと、から構成されたマーカーランプであって、
前記ランプボディは、前記ＬＥＤからの光を拡散する筒状の拡散シートと、当該拡散シートを固定する固定台座とを設け、
前記拡散シートの外面を照し前記拡散シートを囲む状態で複数の前記ＬＥＤを配置したことを特徴とするマーカーランプ。
【請求項２】
光源となる複数のＬＥＤを覆う状態で形成され、前記ＬＥＤからの光を透過させるドーム状のランプカバーと、前記ランプカバーを着脱自在に装着するランプボディと、から構成されたマーカーランプであって、
前記ランプカバーは、前記ＬＥＤからの光を拡散する筒状の拡散シートと、前記拡散シートを固定する透過性の固定台座とを設け、
前記拡散シートの円筒の外面を照らすように前記基板に複数の前記ＬＥＤを配置したことを特徴とするマーカーランプ。
【請求項３】
前記筒状の拡散シートの内面に光を反射させ、かつ前記ランプカバーの天井の中央に向かって光を反射するＬＥＤを設け、
前記拡散シートは、前記ＬＥＤからの光を前記拡散シートの外面に透過させると共に、前記外面の正面方向に向かって光を反射させる反射手段を備えたことを特徴とする請求項１又は請求項２のいずれか一項に記載のマーカーランプ。
【請求項４】
前記拡散シートを囲む状態で配置された複数の前記ＬＥＤは、前記ＬＥＤの中心を前記拡散シートに向かって傾斜して配置されていることを特徴とする請求項１乃至請求項３のいずれか一項に記載のマーカーランプ。
【発明の詳細な説明】
【技術分野】
【０００１】
本発明は、トラック等の大型車両における車幅や側面や前照等に使用される目印や装飾として使用されるマーカーランプに関するものである。
【背景技術】
【０００２】
従来から、消費電力が小さく球切れの心配がない等の理由により発行ダイオード(ＬＥＤ)がマーカーランプや車幅灯や前照灯などに採用されてきている。特に、ドライバーが右左折する際に、車の側面位置の目印として使用しており、ドライバーからサイドミラーを通して見えやすくするために、マーカーランプの側面はもちろんマーカーランプ全体をムラなく均一に発光させるために内部や外部に様々な反射機構が提案されてきている。
多数見られるのは、その中でもマーカーランプの内部に、筒状の金属やプラスチックで形成され、全面を鏡面状に仕上げたリフレクタと呼ばれる反射機構を備えたマーカーランプがある（例えば、特許文献１がある）。
【０００３】
【特許文献１】特開２００６−３０２７５８号公報（段落００４２、図１１）
【発明の開示】
【発明が解決しようとする課題】
【０００４】
図１には従来の一般的なマーカーランプ１００が示されている。このマーカーランプ１００においては、上述のように、プラスチックや金属に鏡面加工したリフレクタ１０４が中央に設けられており、このリフレクタ１０４によって側方に反射させる構造となっている。
しかしながら、この構造においてはＬＥＤ（Ｌ１００）の指向性があるために点状に反射した反射光Ｓ１００が反射してＬＥＤ（Ｌ１００）の点光源のまま反射される。
また、ＬＥＤ（Ｌ１００）の光の半分は、リフレクタ１０４で反射され（Ｒ１００）、カバー１０２の領域Ｔに照射されるが、リフレクタ１０４は、領域Ｔより上方にＬＥＤ（Ｌ１００）の光を反射させる事ができないため、リフレクタ１０４の作用により、カバー１０２全体を均一に光るようにするには難しい状態にあった。
【０００５】
そこで、本発明は、あらゆる方向に対してムラなく均一に光を反射することができるマーカーランプを提供することを目的とする。
【課題を解決するための手段】
【０００６】
請求項１記載のマーカーランプは、光源となる複数のＬＥＤを覆う状態で形成され、前記ＬＥＤからの光を透過させるドーム状のランプカバーと、前記ランプカバーを着脱自在に装着するランプボディと、から構成されたマーカーランプであって、前記ランプボディは、前記ＬＥＤからの光を拡散する筒状の拡散シートと、当該拡散シートを固定する固定台座とを設け、前記拡散シートの外面を照し前記拡散シートを囲む状態で複数の前記ＬＥＤを配置したことを特徴とする。
【０００７】
以上の構成により、前記拡散シートは、点状ではなく丸く帯状に前記ＬＥＤからの光を前記拡散シート全体で反射することができる。従って、前記マーカーランプは、点状に光を反射することが無く均一な反射光を得ることができ、ムラなく均一に光ることができる。また、前記拡散シート全体を活用することができるので、効率よく光を利用することができ、前記ランプカバー全体に光を行き渡らせることができる。
尚、筒状の前記拡散シートは円柱状に限定するものではなく他形状なものであっても良い。
【０００８】
請求項２記載のマーカーランプは、光源となる複数のＬＥＤを覆う状態で形成され、前記ＬＥＤからの光を透過させるドーム状のランプカバーと、前記ランプカバーを着脱自在に装着するランプボディと、から構成されたマーカーランプであって、前記ランプカバーは、前記ＬＥＤからの光を拡散する筒状の拡散シートと、前記拡散シートを固定する透過性の固定台座とを設け、前記拡散シートの円筒の外面を照らすように前記基板に複数の前記ＬＥＤを配置したことを特徴とする。
【０００９】
以上の構成により、前記拡散シートは、点状ではなく丸く帯状に前記ＬＥＤからの光を前記拡散シート全体で反射することができる。従って、前記マーカーランプは、点状に光を反射することが無く均一な反射光を得ることができ、ムラなく均一に光ることができる。また、前記拡散シート全体を活用することができるので、効率よく光を利用することができ、前記ランプカバー全体に光を行き渡らせることができる。
尚、筒状の前記拡散シートは円柱状に限定するものではなく他形状なものであっても良い。
【００１０】
請求項３記載のマーカーランプは、前記筒状の拡散シートの内面に光を反射させ、かつ前記ランプカバーの天井の中央に向かって光を反射するＬＥＤを設け、前記拡散シートは、前記ＬＥＤからの光を前記拡散シートの外面に透過させると共に、前記外面の正面方向に向かって光を反射させる反射手段を備えたことを特徴とする。
【００１１】
以上の構成により、前記拡散シートの内面に向かって照射される前記ＬＥＤからの光も外面に反射される光に取り入れることができ、輝度を増す働きをすることができる。
【００１２】
請求項４記載のマーカーランプは、前記拡散シートを囲む状態で配置された複数の前記ＬＥＤは、前記ＬＥＤの中心を前記拡散シートに向かって傾斜して配置されていることを特徴とする。
【００１３】
以上の構成により、前記ランプカバーに点状の光を直接に照射させることがないので、前記ランプカバーに点状に光が写ることはない。また、前記拡散シートの作用をより発揮できることになり、マーカーランプをムラなく均一に照らすことができる。
【発明を実施するための最良の形態】
【００１４】
（実施例１）
以下に、本発明を実施するための最良の形態の実施例１を図１乃至図２及び図４に基づいて説明する。図１は、本実施例におけるマーカーランプ１を正面から見た概要図であり、図１（Ｂ）は、本実施例におけるマーカーランプ１を上方から見た概要図である。図２は、実施例１におけるマーカーランプ１を正面から見たＡ−Ａ断面図である。図４は、実施例１におけるマーカーランプ１における拡散シート４が光を反射するときの状態を表した拡大断面図である。
【００１５】
図１に示すマーカーランプ１は、ランプカバー２と、ランプボディ３とから構成されている。
ランプカバー２は、黄色やオレンジ色の透過性の樹脂や硝子でドーム状に形成されており、ランプカバー２内面には、後述するＬＥＤ（Ｌ１・Ｌ２）の光や拡散シート４から反射した光を拡散させるようにレンズカットが施されている。
そして、ランプカバー２の内部にはランプボディ３と嵌合するように図示しない溝が施され、ランプカバー２を回してランプボディ３に固定できるようになっている。また、ランプカバー２の嵌合するよう溝に防水用のパッキンが設けられている。
【００１６】
ランプボディ３は、固定台座５と、基板１１と、拡散シート４とから構成されている。ランプボディ３は円形状に設けられ、車体側からの電気配線を接続するため図示しない孔や車体側への図示しない取付機構（ビスやボルト固定用の孔）が設けられている。  図１（Ｂ）に見られるように拡散シート４を固定するための固定台座３は、一部を欠き切ったＣ状の円柱状に形成され、拡散シート４を挟持して固定するために起立した外起立片８と内起立片９が設けられ、外起立片８と内起立片９とで拡散シート４を挟持して固定している。
【００１７】
図１及び図２に示すように基板１１は、外形を円盤状に形成され、ＬＥＤ（Ｌ１）やＬＥＤ（Ｌ２）や図示しない抵抗等の電子部品が実装されている。内部には、固定台座５が嵌合することができるＣ状の孔が設けられている。
そして、ＬＥＤ（Ｌ１）は、拡散シート４を取り囲むように円周状に配置され、拡散シート４の外面に向け、傾きを持ち基板１１に８個取り付けられている。ＬＥＤ（Ｌ２）は、円盤中央に、１こランプボディ３に対して垂直に起立して取り付けられている。ＬＥＤ（Ｌ１・Ｌ２）は、砲弾型のＬＥＤであり、黄色や白色の色を使用している。
【００１８】
次に、拡散シート４は、樹脂製のシートを円状に巻いて円筒状の筒形状に形成している。
この拡散シート４は、図４に示しように外面６と内面７とでは反射する作用が異なる形状で構成されいる。
拡散シート４の外面６は、外面６からの光を拡散反射する極小さな波状の形状で表面が形成されており、内面７は、表面がストレート形状となっており、内面７側からの光を透過させるフィルム構造となっている。
【００１９】
次に、ランプボディ３の組み立ては以下のようになされる。
最初に基板１１を上方から固定台座５に嵌合するように嵌め込み、その後、円筒状にした拡散シート４を固定台座５の外起立片８と内起立片９との間に嵌め込み固定する。
（本実施例１におけるマーカーランプの表示作用及び効果）
【００２０】
本実施例１におけるマーカーランプ１の表示作用を図３及び図４に基づいて以下に説明する。図３は、実施例１におけるマーカーランプ１における拡散シート４が光を反射するときの状態を表した図である。
図３及び図４に示すように、ＬＥＤ（Ｌ１）から光が拡散シート４の外面６に向かって照射されると、上述した外面６の波形状によって光が外面に対して正面方向に光を反射させている（Ｒ１）。そのため、白矢印（Ｒ）の方向へ光を拡散反射させることができる。そして、拡散シート４は、点状ではなく丸く帯状（Ｓ）にＬＥＤ（Ｌ１）からの光を拡散シート４全体で反射する。
【００２１】
次に、ＬＥＤ（Ｌ２）からの光は、内面７が透過性のフィルム構造となっているので、内面７から進入した光は、外面６で屈折し外面６に対して正面方向に反射される（Ｒ２）。
また、ＬＥＤ（Ｌ２）は、ランプボディ３に対して垂直に起立させて設けられているため、ランプカバー２の天井方向に向かっても光が照射される。
【００２２】
以上における本実施例から把握される効果を以下に詳述する。
（１）本実施例のマーカーランプ１は、ＬＥＤ（Ｌ１）からの光が拡散シート４の外面６に向かって照射されると、上述した外面６の波形状によって光が外面に対して正面方向に光を反射させている（Ｒ１）。そのため、白矢印（Ｒ）の方向へ光を拡散反射させることができる。
【００２３】
そして、拡散シート４は、点状ではなく丸く帯状（Ｓ）にＬＥＤ（Ｌ１）からの光を拡散シート４全体で反射する。
従って、点状に光を反射することが無く均一な反射光を得ることができる。また、拡散シート４全体を活用することができるので、効率よく光を利用することができランプカバー２全体に光を行き渡らせることができる。 
【００２４】
（２）（１）の効果に加え、本実施例のマーカーランプ１は、ランプカバー２の天井近くまで延びた円筒状の拡散シート４によって、ランプカバー２をランプカバー２の天井近くまでムラなく均一に光らせる事ができるようになった。
【００２５】
（３）（１）乃至（２）の効果に加え、本実施例のマーカーランプ１は、拡散シート４の内面７に向かって照射されるＬＥＤ（Ｌ２）からの光は、内面７が透過性のフィルム構造となっているので、内面７から進入した光は、外面６で屈折し、外面６に対して正面方向に反射される（Ｒ２）。
従って、拡散シート４の内面６に向かって照射されるＬＥＤ（Ｌ２）からの光も外面６に反射される光に取り入れることができ、輝度を増す働きをすることができる。
【００２６】
（４）（１）乃至（３）の効果に加え、本実施例のマーカーランプ１は、ＬＥＤ（Ｌ２）がランプボディ３に対して垂直に起立させて設けられているため、ランプカバー２の天井方向に向かっても光が照射される。
従って、ランプカバー２の天井方向から見た場合であって、はっきりとマーカーランプ１の点灯を確認することができる。
【００２７】
（５）従来のリフレクタ構造のように、リフレクタの表面に鏡面加工を施さなければならないため製造コストが高くなってしまう問題があったが、本実施例のマーカーランプ１は、拡散シート４を使用することで、表面に鏡面加工を施す必要が無く安価に製造することができるようになった。
【００２８】
（６）（１）乃至（５）の効果に加え、本実施例のマーカーランプ１は、ＬＥＤ（Ｌ１）は、ＬＥＤ（Ｌ１）の中心を円筒状の拡散シート４に向け傾倒して設けられているため、
ランプカバー３に点状の光を直接に照射させることがないので、ランプカバー３に点状に光が写ることはない。また、拡散シート４の作用をより発揮できることになり、マーカーランプ１をムラなく均一に照らすことができる。
（実施例２）
【００２９】
以下に、本発明を実施するための最良の形態の実施例２を、図５に基づいて説明する。
拡散シート４の構造は実施例１と同様であるため省略し、また、本実施例１におけるマーカーランプの表示作用及び効果も同様であるため省略する。
【００３０】
図５は、実施例２におけるマーカーランプ１を正面から見た概要図である。
図５に示すように、マーカーランプ１は、ランプボディ２３と、ランプカバー２２とから構成されている。は、ランプボディ２３は、基板２１が設けられており、基板２１には、ＬＥＤ（Ｌ１）が実施例１と同様に円周状に配置されている。また、円盤状の基板２１の中央には、ＬＥＤ（Ｌ２）が実施例１と同様に設けられている。
【００３１】
次に、ランプカバー２２は、黄色やオレンジ色の透過性の樹脂や硝子でドーム状に形成されており、ランプカバー２２内面には、ＬＥＤ（Ｌ１・Ｌ２）の光や拡散シート４から反射した光を拡散させるようにレンズカットが施されている。
そして、ランプカバー２のドーム状の天井中央には、透過性の円筒状の固定台座２５が設けられている。拡散シート４を固定するための固定台座２５は、円柱状に形成され、拡散シート４を挟持して固定するために起立した外起立片８と内起立片９が設けられ、外起立片８と内起立片９とで拡散シート４を挟持して固定している。
（実施例２におけるマーカーランプの効果）
【００３２】
以上における本実施例から把握される効果を以下に詳述する。本実施例の効果は、実施例１における効果に加えて更に以下の効果が得られることになる。
（１）本実施例のマーカーランプ１は、拡散シート４（反射機構（従来例にあるリフレクターであっても良い））の固定用の固定台座をランプカバー２２内に設けることで、基板２１を実施例１のように固定台座に合わせて加工することなく、製造することができるのでコストが安価となる。
【００３３】
（２）本実施例のマーカーランプ１は、拡散シート４（反射機構（従来例にあるリフレクターであっても良い））をランプカバー２２内に設け、拡散シート４（反射機構（従来例にあるリフレクターであっても良い））の固定手段である固定台座２５を透過性の材料で形成することによって、ＬＥＤ２の光をランプカバー２２の天井方向だけでなく、固定台座２５を透過性の部分を通して側面方向である外面６の正面方向に利用することができるようになった。
（他の実施形態への変更例）
【００３４】
以上説明した実施形態を他の実施形態へ変更した例を以下に示す。
・ＬＥＤ（Ｌ２）はＬ１と同一基板状に設けたて説明したが、別基板として分離して設けた構造であっても良い。
・ＬＥＤは、砲弾型の形状のＬＥＤを使用したが、チップタイプのものであっても良い。
・固定台座２５は、ランプカバー２と一体成形する構造であっても良い。
・筒状は、円錐や三角錐や箱状も含む。
・拡散シート４は、コンピュータの画面やテレビに使用される液晶のバックライトに使用されるものであるとよい。また、反射のタイプは、他にも再帰反射型や乱反射型が考えられる。
・拡散シート４は、円形状に形成したが、４角や３角等の多角形であっても良い。
・拡散シート４を円筒状に固定する方法として、接着や透明テープでの固定や熱による固定が考えられる。
【図面の簡単な説明】
【００３５】
【図１】実施例１におけるマーカーランプ１を正面から見た概要図。（Ｂ）本実施の形態におけるマーカーランプ１を上方から見た概要図。
【図２】実施例１におけるマーカーランプ１を正面から見たＡ−Ａ断面図。
【図３】実施例１におけるマーカーランプ１における拡散シート４が光を反射するときの状態を表した図。
【図４】実施例１におけるマーカーランプ１における拡散シート４が光を反射するときの状態を表した拡大断面図。
【図５】実施例２におけるマーカーランプ１を正面から見た概要図。
【図６】従来のマーカーランプ１００におけるリフレクタ１０４が光を反射するときの状態を表した図。
【符号の説明】
【００３６】
１・・・マーカーランプ、２，２２・・・ランプカバー、３，２３・・・ランプボディ、
４・・・拡散シート、５,２５・・・固定台座、６・・・外面、７・・・内面、
１１・・・プリント基板、Ｒ，Ｒ１，Ｒ２・・・反射光、
Ｌ１，Ｌ２，Ｌ１００・・・ＬＥＤ。
【図１】
2008137434.tif 000003
【図２】
2008137434.tif 000004
【図３】
2008137434.tif 000005
【図４】
2008137434.tif 000006
【図５】
2008137434.tif 000007
【図６】
2008137434.tif 000008